(57)【特許請求の範囲】
【請求項１】
単位面積当たりの吸収率に基づき得られる日射エネルギーの吸収により、太陽電池の得る単位時間当たりの吸収熱量を演算する吸収熱量演算部と、
外気と太陽電池との温度差により、太陽電池が単位時間当たりに放射する放射熱量を演算する放射熱量演算部と、
前記吸収熱量から前記放射熱量を減算し、単位時間当たりの温度変化量を演算する温度変化演算部と、
太陽電池の温度に前記温度変化量を加算し、単位時間当たりの太陽電池の温度推移を求める温度演算部と
を有し、
前記吸収熱量演算部が、所定の時間毎に発電電流と太陽電池の抵抗とに基づき、太陽電池に発生するジュール熱を演算し、このジュール熱を前記吸収熱量の補正値として用いることを特徴とする太陽電池温度特性シミュレータ。
【請求項２】
前記吸収率が、太陽電池の発電電流に基づき生成されるジュール熱を考慮して演算されることを特徴とする請求項１記載の太陽電池温度特性シミュレータ。
【請求項３】
単位時間当たり毎に太陽電池の温度変化に対応する第１の熱量と、単位時間当たりに放射される第２の熱量との加算値から、単位時間当たりの前記ジュール熱の第３の熱量を減算した値を、単位時間当たりに入射される日射量で除算して、前記吸収率を演算する吸収率算出部を有することを特徴とする請求項１または請求項２に記載の太陽電池温度特性シミュレータ。
【請求項４】
単位面積当たりの吸収率に基づき得られる日射エネルギーの吸収により、太陽電池の得る単位時間当たりの吸収熱量を演算する吸収熱量演算過程と、
外気と太陽電池との温度差により、太陽電池が単位時間当たりに放射する放射熱量を演算する放射熱量演算過程と、
前記吸収熱量から前記放射熱量を減算し、単位時間当たりの温度変化量を演算する温度変化演算過程と、
太陽電池の温度に前記温度変化量を加算し、単位時間当たりの太陽電池の温度推移を求める温度演算過程と
を有し、
前記吸収熱量演算過程において、所定の時間毎に発電電流と太陽電池の抵抗とに基づき、太陽電池に発生するジュール熱が演算され、このジュール熱が前記吸収熱量の補正値として用いられることを特徴とする太陽電池温度特性演算方法。
【請求項５】
前記吸収率が、太陽電池の発電電流に基づき生成されるジュール熱を考慮して演算されることを特徴とする請求項４記載の太陽電池温度特性演算方法。
【請求項６】
請求項１〜請求項３の太陽電池温度特性シミュレータを動作させ、太陽電池の温度特性を演算する温度特性演算プログラムであって、
単位面積当たりの吸収率に基づき得られる日射エネルギーの吸収により、太陽電池の得る単位時間当たりの吸収熱量を演算する吸収熱量演算処理と、
外気と太陽電池との温度差により、太陽電池が単位時間当たりに放射する放射熱量を演算する放射熱量演算処理と、
前記吸収熱量から前記放射熱量を減算し、単位時間当たりの温度変化量を演算する温度変化演算処理と、
太陽電池の温度に前記温度変化量を加算し、単位時間当たりの太陽電池の温度推移を求める温度演算処理と
を有し、
前記吸収熱量演算処理において、所定の時間毎に発電電流と太陽電池の抵抗とに基づき、太陽電池に発生するジュール熱が演算され、このジュール熱が前記吸収熱量の補正値として用いられることを特徴とする太陽電池温度特性演算プログラム。
【発明の詳細な説明】
【０００１】
【発明の属する技術分野】
本発明は、太陽電池の温度特性を、周囲の環境に対応させて演算する太陽電池温度特性シミュレータに係わるものである。
【０００２】
【従来の技術】
近年、石油の消費を削減し、環境に対してクリーンな電気エネルギーを得ようと、エネルギーの多様化と分散とが行われ始めている。
その中でも、再生可能エネルギーとしての太陽光発電において、太陽電池を用いた発電が、太陽電池の日射エネルギーを電気エネルギーへ変換する変換効率の向上が進んでいるため、特に盛んに住宅や病院等の施設で用いられるようになっている。
すなわち、変換効率が向上したため、小型・軽量化が進み、住宅でも簡易に施設可能となって来ていることが、使用の伸びる要因と考えられる。
【０００３】
【発明が解決しようとする課題】
しかしながら、太陽電池の発電量を計算する従来用いられているシミュレータには、住宅などに設置するときに太陽電池の大きさを決定するために行われる、太陽電池の発電量の計算が正確に行われないという欠点がある。
これは、太陽電池の温度が正確に計算されないため、太陽電池の温度特性において、ずれたI-Vカーブにより太陽電池の発電量を演算しているためである。
【０００４】
すなわち、従来の太陽電池の温度のシミュレーションにおいて、太陽電池の温度変化を入射される日射量のみを考慮して演算するために、実際の太陽電池の日射エネルギーの吸収率を不明確なままで、太陽電池の温度変化をシミュレートすることによる。
また、従来のシミュレータにおいては、温度特性をシミュレーションするときに、発電電流により発生するジュール熱を考慮していないため、不正確な温度特性を演算しており、結果的に、正確な発電電流のシミュレーションが行えないという問題がある。
【０００５】
本発明はこのような背景の下になされたもので、太陽電池（太陽電池モジュール）の発電量を正確にシミュレーションするための、太陽電池の温度変化を正確にシミュレーションする温度特性シミュレータを提供する事にある。
【０００６】
【課題を解決するための手段】
本発明の太陽電池温度特性シミュレータは、単位面積当たりの吸収率に基づき得られる日射エネルギーの吸収により、太陽電池の得る単位時間当たりの吸収熱量を演算する吸収熱量演算部と、外気と太陽電池との温度差により、太陽電池が単位時間当たりに放射する放射熱量を演算する放射熱量演算部と、前記吸収熱量から前記放射熱量を減算し、単位時間当たりの温度変化量を演算する温度変化演算部と、太陽電池の温度に前記温度変化量を加算し、単位時間当たりの太陽電池の温度推移を求める温度演算部とを有し、前記吸収熱量演算部が、所定の時間毎に発電電流と太陽電池の抵抗とに基づき、太陽電池に発生するジュール熱を演算し、このジュール熱を前記吸収熱量の補正値として用いることを特徴とする。
【０００７】
本発明の太陽電池温度特性シミュレータは、前記吸収率が、太陽電池の発電電流に基づき生成されるジュール熱を考慮して演算されることを特徴とする。
本発明の太陽電池温度特性シミュレータは、単位時間当たり毎に太陽電池の温度変化に対応する第１の熱量と、単位時間当たりに放射される第２の熱量との加算値から、単位時間当たりの前記ジュール熱の第３の熱量を減算した値を、単位時間当たりに入射される日射量で除算して、前記吸収率を演算する吸収率算出部を有することを特徴とする。
【０００８】
本発明の太陽電池温度特性演算方法は、単位面積当たりの吸収率に基づき得られる日射エネルギーの吸収により、太陽電池の得る単位時間当たりの吸収熱量を演算する吸収熱量演算過程と、外気と太陽電池との温度差により、太陽電池が単位時間当たりに放射する放射熱量を演算する放射熱量演算過程と、前記吸収熱量から前記放射熱量を減算し、単位時間当たりの温度変化量を演算する温度変化演算過程と、太陽電池の温度に前記温度変化量を加算し、単位時間当たりの太陽電池の温度推移を求める温度演算過程とを有し、前記吸収熱量演算過程において、所定の時間毎に発電電流と太陽電池の抵抗とに基づき、太陽電池に発生するジュール熱が演算され、このジュール熱が前記吸収熱量の補正値として用いられることを特徴とする。
本発明の太陽電池温度特性演算方法は、前記吸収率が、太陽電池の発電電流に基づき生成されるジュール熱を考慮して演算されることを特徴とする。
【０００９】
本発明の太陽電池温度特性演算プログラムは、上記太陽電池温度特性シミュレータを動作させ、太陽電池の温度特性を演算する温度特性演算プログラムであって、単位面積当たりの吸収率に基づき得られる日射エネルギーの吸収により、太陽電池の得る単位時間当たりの吸収熱量を演算する吸収熱量演算処理と、外気と太陽電池との温度差により、太陽電池が単位時間当たりに放射する放射熱量を演算する放射熱量演算処理と、前記吸収熱量から前記放射熱量を減算し、単位時間当たりの温度変化量を演算する温度変化演算処理と、太陽電池の温度に前記温度変化量を加算し、単位時間当たりの太陽電池の温度推移を求める温度演算処理とを有し、前記吸収熱量演算処理において、所定の時間毎に発電電流と太陽電池の抵抗とに基づき、太陽電池に発生するジュール熱が演算され、このジュール熱が前記吸収熱量の補正値として用いられることを特徴とする。
【００１０】
【発明の実施の形態】
以下、図面を参照して本発明の実施形態について説明する。図１は本発明の一実施形態による太陽電池温度特性シミュレータの構成を示すブロック図である。
この図において、吸収熱量演算部１は、吸収率演算部２から得られる単位面積当たりの吸収率に基づいて、入射エネルギーとして得られる日射エネルギーの吸収に対して、太陽電池の得る単位時間当たりの吸収熱量を演算する。
また、吸収熱量演算部１は、太陽電池の発電電流と、太陽電池モジュールのモジュール抵抗とに基づき、太陽電池において発生するジュール熱の計算を行う。
【００１１】
吸収率演算部２は、後に詳細に説明するが、上記吸収率を、太陽電池の発電電流に基づき生成されるジュール熱を考慮して演算する。
すなわち、吸収率演算部２は、単位時間当たり（例えば、１秒間毎）に測定される太陽電池の温度変化に対応する第１の熱量と、単位時間当たりに放射される第２の熱量との加算値から、単位時間当たりの前記ジュール熱の第３の熱量を減算した値を、単位時間当たりに入射される日射量で除算することにより、上記単位時間毎に、温度特性のシミュレーションに用いる上記吸収率の演算を行う。
【００１２】
放射熱量演算部３は、外気と太陽電池との温度差により、太陽電池の放射する単位時間当たりに放射する放射熱量を演算する。
温度変化演算部４は、上記吸収熱量から上記放射熱量を減算し、単位時間当たりの温度変化量（熱量の収支）を演算する。
温度演算部５は、太陽電池の温度に前記温度変化量を加算し、単位時間当たりの太陽電池の温度推移を求める。
【００１３】
データベース６には、複数の太陽電池毎に対応して、各太陽電池の特性（太陽電池のモジュールの面積，重量，モジュール抵抗Ｒs等）が記憶されている。
また、データベース６には、標準的な気象データ（標準気象データ）が記憶されている。
さらに、データベース６には、各季節の日の出の時点、すなわち温度特性のシミュレーションを開始する時に初期値として用いる発電電流Ｉが、各太陽電池の種類毎に対応して記憶されている。
ここで、標準気象データとは、春夏秋冬の特徴的な日（晴れの日，曇りの日、雨の日等）の外気の温度や、吹く風の風速等のデータが格納されており、温度特性のシミュレーションに用いられる。
【００１４】
次に、図１を参照して、一実施形態による太陽電池温度特性シミュレータの動作例を説明する。
基本的な動作としては、図２に示すように、太陽電池温度特性シミュレータが、日の出前の太陽電池温度に対して、日の出からある時刻までの太陽電池の温度変化量を加算することにより、上記時刻における太陽電池温度を求めている。
ここで、図３にあるように、太陽電池の時刻ｔ1から時刻ｔ2の時間範囲の温度変化量（Δｔ）は、時刻ｔ１から時刻ｔ２までの、吸収される熱量と放射される熱量との収支（熱量の収支）で決定される。
また、、日の出前の温度は、外気温（外気の温度）との熱の交換のみであるため、外気温と同様と仮定している。
【００１５】
従来は、すでに説明したように、図２における温度変化量（Δｔ）を求める場合、図４に示す１秒間（単位時間）の温度変化量として、▲２▼及び▲３▼の項目、すなわち、「日射エネルギーの吸収による１秒間の熱量」と「外気の温度差や周囲の風による１秒間の放熱量」との収支として考慮していた。
しかしながら、一実施形態の太陽電池温度特性シミュレータでは、▲１▼の項目として、太陽電池モジュールＭ（太陽電池）における「発電電流（Ｉ）によりモジュール抵抗から発生するジュール熱」による熱量を考慮している。
【００１６】
ここで、項目▲２▼の日射量（日射エネルギー）の吸収による発熱としての熱量は、日射エネルギーのうち特に長波長成分を熱として吸収され発生する。
そして、吸収熱量演算部１は、入射される入射日射量に吸収率を乗じて、日射エネルギーにより発生する熱量を算出する。
また、項目▲３▼の外気との温度差や周囲の風による放射される熱量は、放射熱量演算部３において、以下の式により算出される。
すなわち、熱量が項目▲３▼の外気との温度差や周囲の風による放射される項は、強制対流熱伝達によるものであり、空気中へ放射される放射熱量は、ニュートンの冷却則として、下記の（１）式で表される。
【００１７】
放射熱量をｑcとすると、
0004326712.tif 000002
と表される。
ここで、θf(t)：外気温度（℃），θ(t)：太陽電池温度（℃），v：風速（ｍ／ｓ），αc：強制対流熱伝達率（ユルゲスの実験による式），t：所定の時刻である。
【００１８】
さらに、太陽電池モジュールＭにおける「発電電流（Ｉ）によりモジュール抵抗から発生するジュール熱」による熱量は、モジュール抵抗の抵抗値Ｒｓと、発電電流Ｉの２乗とによる「Ｒｓ・Ｉ2」に基づき求められる。
従来例においては、上述したジュール熱の発熱による熱量を、太陽電池温度の変化において考慮せずに、このジュール熱による熱量を日射エネルギーにより発生する熱量に含めて、太陽電池の吸収率を求めていたため、太陽電池の温度変化のシミュレーション値に大きな誤差が発生すると考えられる。
【００１９】
すなわち、図５に示すように、１秒間の太陽電池の熱量の変化（左辺）は、１秒間の太陽電池の変化した温度に太陽電池モジュールＭの比熱を乗じることで求まる。
そして、図５の右辺において、第１項が▲１▼上述したジュール損失（ジュール熱の発生）により１秒間に発生する熱量であり、第２項が▲２▼入射日射量（入射エネルギー）に吸収率を乗じた、日射エネルギーの吸収により１秒間に発生する熱量であり、第３項が▲３▼外気との温度差や周囲の風により１秒間に放熱する熱量である。
【００２０】
したがって、ジュール損失を考慮した吸収率を求める場合、図６に示す式の構成となる。
そして、吸収率演算部２は、図６の式に対応した演算を行い、太陽電池モジュールの吸収率を求める。
すなわち、吸収率は、吸収率演算部２において、１秒間の太陽電池の変化した温度に太陽電池モジュールの比熱を乗じて得られた熱量と、上記▲３▼の熱量とを加えた値から▲１▼のジュール損失による熱量を減算し、この減算結果を１秒間の入射日射量で除算して得ることができる。
【００２１】
このように、１度、吸収率演算部２により、各太陽電池モジュール毎の熱吸収率を求めることで、以後、太陽電池モジュールの温度特性のシミュレーションを正確に行うことが可能となる。
吸収率演算部２で用いる正確な吸収率算出の式は、以下に示す（２）式となる。  ε(ω)＝((5.8＋3.9v(t))(θ(t)−θf(t))−Ｉ(t)2・Ｒs＋C(θ(t)−θ(t-1)))          /It(t)                                                   …(2)
【００２２】
ここで、上述の式は風速vが５ｍ／ｓ以下の場合に適用される。風速が５ｍ／ｓを超える場合、左辺の分子の第１項を（１）式に合わせて変更する必要がある。
（２）式において、ε(ω)が吸収率であり、Ｉt(t)が日射強度（入射日射量）であり、θf(t)が外気温であり、θ(t)が太陽電池モジュールの温度であり、v(t)が風速であり、Ｉ(t)が太陽電池モジュールＭの発電電流であり、ｔが時刻であり、Ｒsが太陽電池モジュールのモジュール抵抗である。
【００２３】
吸収率演算部２で用いられる、吸収率ε(ω)を求める（２）式の各数値は、図７に示す測定装置により、所定の時間毎（例えば、１秒単位）に測定される。
図７において、測定器５０は、各時刻毎に、風速計２０により出力される風速ｖ(t)の値を測定し、日射計２１により出力される受光面日射量Ｉt(t)の値の測定し、熱電対２４により外気温θf(t)を測定し、熱電対２５により太陽電池モジュールの温度θ(t)の値を測定し、電流測定用シャント抵抗により発電電流Ｉ(t)を測定し、これらの測定された各値を吸収率演算部２へ出力する。
【００２４】
ここで、電子負荷２６は、太陽電池モジュールＭの発電電力が、常にその時点での最大値（最大出力点）となるように、太陽電池モジュールＭの出力電圧を調整するため、内部の抵抗値の制御を行う。
そして、吸収率演算部２は、得られた受光面日射量Ｉt(t)，風速ｖ(t)，外気温θf(t)，太陽電池モジュールの温度θ(t)，発電電流Ｉ(t)（発電電流Ｉ）に基づき、（２）式により吸収率ε(ω)を求める。
【００２５】
ここで、吸収率演算部２は、図８に示すように、各時刻毎に測定された吸収率の平均値を求め、この平均値を最終的な吸収率ε(ω)として、吸収熱量演算部１へ出力する。
このとき、吸収熱量演算部１は、吸収率演算部２から入力される吸収率ε(ω)を、各太陽電池モジュールに対応させて、データベース６へ格納する。
【００２６】
次に、吸収熱量演算部１は、太陽電池モジュールに吸収される熱量をシミュレーションにより求めるとき、対応する太陽電池モジュールの吸収率ε(ω)を、データベース６から読み出し、読み出した吸収率ε(ω)を用いてシミュレーションを開始する。
このとき、吸収熱量演算部１は、シミュレーションを行う季節の平均的な１日の所定の時間範囲毎（例えば、１時間毎）に設定された日射量Ｉt(t)を、データベース６から読み出し、この日射量Ｉt(t)に吸収率ε(ω)を乗じ、各時刻毎の日射エネルギーによる熱量を演算する。
【００２７】
また、吸収熱量演算部１は、「Ｉ(t)2・Ｒs(t)」の式からジュール熱を求める。
ここで、吸収熱量演算部１は、シミュレーションの開始時点において、日の出前の太陽電池モジュールの温度に対応した発電電流Ｉ(t)をデータベース６から読み出し、この発電電流Ｉ(t)を初期値としてジュール熱を求める。
以降、吸収熱量演算部１は、温度演算部５において、シミュレーションから得られた温度に基づき演算される発電電流Ｉ(t)により、時刻毎のジュール熱を求める。
【００２８】
例えば、以下に示す(３)式により、発電電流Ｉ(t)が求められる。
I＝Iph−Io(exp(q(V＋IRs)/nkT)−1)−(V＋IRs)/Rsh                  …(3)
ここで、Ｉphは日射エネルギーにより発生する光誘起電流であり、Ｖは太陽電池電圧であり、Ioは逆方向飽和電流であり、Iは太陽電池の発電電流（I(t)）であり、Ｒsはモジュール抵抗であり、Ｒshは漏れ抵抗であり、nはダイオード性能指数、kはボルツマン係数であり、Tはθ(t)を絶対温度に換算した値であり、qは素電荷である。
そして、放射熱量演算部３は、データベース６に、シミュレーションを行う季節の平均的な１日の所定の時間範囲毎（例えば、１時間毎）に設定された外気温θf(t)及び風速ｖ(t)を用い、（１）式により放射熱量を演算する。
【００２９】
温度変化演算部４は、所定の時刻毎（例えば、１秒単位）に、吸収熱量演算部１から出力される、上記吸収熱量「ε(ω)・Ｉt(t)」及びジュール熱「Ｉ(t)2・Ｒs(t)」を加算した結果から、放射熱量演算部３から出力される放射熱量ｑcを減算して、この結果である、熱量収支を温度演算部５へ出力する。
そして、温度演算部５は、入力される上記熱量収支を、上記時間範囲毎に積分して、太陽電池モジュールの時間範囲毎における熱量の変化「Ｃ（θ(t)−θ(t-1)）」を求める。
【００３０】
すなわち、温度演算部５は、吸収熱量演算部１，放射熱量演算部３，温度変化演算部４の演算結果に基づき、以下の（４）式の演算を行う。
C(θ(t)−θ(tー1))＝∫[ε(ω)It(t)＋I(t)2Rs(t)−αc(θ(t)−θf(t))]dt
…(4)
ここで、Ｃは比熱である。
これにより、温度演算部５は、時間範囲毎の温度変化量ΔＴ（すなわち、（θ(t)−θ(tー1)））を、左辺を比熱Cで除算することにより求める。
そして、温度演算部５は、求めた温度変化量ΔＴを、順次、直前の時間範囲の温度に加えていくことにより、各時間範囲毎の太陽電池モジュールの温度を演算する。
【００３１】
上述した本願発明の太陽電池温度特性シミュレータは、ジュール熱を考慮した状態で、太陽電池モジュールの日射エネルギーの吸収率を求め、ジュール熱自体も吸収熱量に対する補正として考慮に入れたため、季節と天候とに対応した状態での温度変化を図９に示すように、実際に測定した温度とほぼ同様な温度変化の特性として得ることができる。
そして、本願発明の対応電池温度特性シミュレータを用いることにより、太陽電池モジュールの温度変化を、時刻毎に正確に算出することができ、太陽電池モジュールの発電量のシミュレーションを正確に行うことが出来る効果がある。
【００３２】
次に、本発明の実施の形態によるコンピュータが実行するためのプログラムについて説明する。
図１における太陽電池モジュールの温度特性をシミュレーションする太陽電池温度特性シミュレータにおけるコンピュータシステムのＣＰＵが実行するためのプログラムは、本発明によるプログラムを構成する。
【００３３】
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フロッピーディスク、メモリカード等に構成して用いてよい。
【００３４】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００３５】
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００３６】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００３７】
従って、このプログラムを図１のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００３８】
以上、本発明の一実施形態を図面を参照して詳述してきたが、具体的な構成はこの実施形態に限られるものではなく、本発明の要旨を逸脱しない範囲の設計変更等があっても本発明に含まれる。
【００３９】
【発明の効果】
本願発明の太陽電池温度特性シミュレータによれば、ジュール熱を考慮した状態で、太陽電池モジュールの日射エネルギーの吸収率を求め、この吸収率に基づき吸収熱量を求め、かつ太陽電池モジュールの発熱するジュール熱自体も吸収熱量に対する補正として考慮に入れたため、季節と天候とに対応した状態での温度変化を図９に示すように、実際に測定した温度とほぼ同様な温度変化の特性として得ることができる。
そして、本願発明の対応電池温度特性シミュレータを用いることにより、太陽電池モジュールの温度変化を、時刻毎に正確に算出することができ、太陽電池モジュールの発電量のシミュレーションを正確に行うことが出来る効果がある。
【図面の簡単な説明】
【図１】  本発明の一実施形態による太陽電池温度特性シミュレータの構成を示すブロック図である。
【図２】  太陽電池モジュールの温度の計算の概要を示す概念図である。
【図３】  太陽電池モジュールの温度の時刻変化を示す概念図である。
【図４】  太陽電池モジュールにおける１秒間における温度変化量の概念を示す図である。
【図５】  太陽電池モジュールに入射する日射エネルギーの吸収率を求めるの式の概念を示す図である。
【図６】  太陽電池モジュールに入射する日射エネルギーの吸収率を求めるの式の概念を示す図である。
【図７】  太陽電池モジュールに入射する日射エネルギーの吸収率を求めるために必要なデータの測定を行う測定系の構成を説明する概念図である。
【図８】  図１における吸収率演算部２の求めた各時刻毎の吸収率を示す図である。
【図９】  本願発明の太陽電池温度特性シミュレータの計算結果による時刻毎の温度変化と、実測した太陽電池モジュールの時刻毎の温度変化とを比較した図である。
【符号の説明】
１  吸収熱量演算部
２  吸収率演算部
３  放射熱量演算部
４  温度変化演算部
５  温度演算部
６  データベース
２０  風速計
２１  日射計
２２  太陽電池受光面
２３  電流測定用シャント抵抗
２４，２５  熱電対
２６  電子負荷
５０  測定器
Ｍ  太陽電池モジュール
【図１】
0004326712.tif 000003
【図２】
0004326712.tif 000004
【図３】
0004326712.tif 000005
【図４】
0004326712.tif 000006
【図５】
0004326712.tif 000007
【図６】
0004326712.tif 000008
【図７】
0004326712.tif 000009
【図８】
0004326712.tif 000010
【図９】
0004326712.tif 000011